【手続補正書】
【提出日】平成27年12月7日(2015.12.7)
【手続補正１】
【補正対象書類名】特許請求の範囲
【補正対象項目名】全文
【補正方法】変更
【補正の内容】
【特許請求の範囲】
【請求項１】
第２のワイヤレスコンピューティングデバイスに第１のワイヤレスコンピューティングデバイスのコンテンツを送信する方法であって、前記方法は、
前記第１のワイヤレスコンピューティングデバイスを用いて、前記第２のワイヤレスコンピューティングデバイスとのＷＩ−ＦＩディスプレイ（ＷＦＤ）接続を開始することと、
前記第１のワイヤレスコンピューティングデバイスを用いて、前記第１のワイヤレスコンピューティングデバイスから前記ＷＦＤ接続を介して前記第２のワイヤレスコンピューティングデバイスにデータを送信することと、
前記第１のワイヤレスコンピューティングデバイスを用いて、前記第１のワイヤレスコンピューティングデバイスがプレイリストのメディア項目をワイヤレスクライアントコンピューティングデバイスと共有することを可能にするメディア共有アプリケーションを実行することと、
前記第１のワイヤレスコンピューティングデバイスを用いて、前記ワイヤレスクライアントコンピューティングデバイスに前記プレイリストの前記メディア項目を記述する情報を送信することであって、前記メディア項目を記述する前記情報を送信することが、前記ワイヤレスクライアントコンピューティングデバイスに、前記ワイヤレスクライアントコンピューティングデバイスが前記メディア項目を出力することが可能であるかどうかを判断することを行わせる、送信することと、
前記第１のワイヤレスコンピューティングデバイスを用いて、前記ワイヤレスクライアントコンピューティングデバイスに前記メディア項目を送信することと
を備える、方法。
【請求項２】
前記第１のワイヤレスコンピューティングデバイスから前記第２のワイヤレスコンピューティングデバイスに前記データを送信することが、前記第２のワイヤレスコンピューティングデバイスに、前記第１のワイヤレスコンピューティングデバイスのディスプレイ出力デバイスをミラーリングすることを行わせる、請求項１に記載の方法。
【請求項３】
前記メディア項目のフォーマットを記述する前記情報が、拡張可能マークアップ言語（ＸＭＬ）、２進数、ハイパーテキストマークアップ言語（ＨＴＭＬ）、およびカンマ区切り値（ＣＳＶ）のうちの少なくとも１つを備える、請求項１に記載の方法。
【請求項４】
前記ワイヤレスクライアントコンピューティングデバイスからメディア再生コマンドを受信することをさらに備える、請求項１に記載の方法。
【請求項５】
前記メディア再生コマンドがリアルタイムストリーミングプロトコル（ＲＴＳＰ）指示を備える、請求項４に記載の方法。
【請求項６】
前記メディア項目を送信することが、前記ワイヤレスクライアントコンピューティングデバイスから前記メディア再生コマンドを受信したことに応答して行われる、請求項４に記載の方法。
【請求項７】
前記第１のワイヤレスコンピューティングデバイスを用いて、前記第２のワイヤレスコンピューティングデバイスからユーザ入力を受信することをさらに備える、請求項１に記載の方法。
【請求項８】
前記ＷＦＤ接続を介した前記データ送信と、前記メディア共有アプリケーションの前記実行が同時に行われる、請求項１に記載の方法。
【請求項９】
前記メディア項目を記述する前記情報が、前記メディア項目のビットレート、レベル、解像度、ファイルタイプ、およびファイル名のうちの少なくとも１つを含む、請求項１に記載の方法。
【請求項１０】
前記第１のワイヤレスコンピューティングデバイスを用いて、前記ワイヤレスクライアントコンピューティングデバイスから認証情報を受信することと、
前記第１のワイヤレスコンピューティングデバイスを用いて、前記認証情報に基づいて前記ワイヤレスクライアントデバイスを認証することと、
前記第１のワイヤレスコンピューティングデバイスを用いて、前記ワイヤレスクライアントデバイスを認証したことに応答して前記ワイヤレスクライアントコンピューティングデバイスに前記プレイリストへのアクセスを許可することと
をさらに備える、請求項１に記載の方法。
【請求項１１】
前記メディア項目を送信することが、リアルタイムトランスポートプロトコル、ＲＴＰを使用して前記メディア項目をストリーミングすることを備える、請求項１に記載の方法。
【請求項１２】
前記ＷＦＤ接続が第１のＷＦＤ接続を備え、前記方法が、
前記第１のワイヤレスコンピューティングデバイスを用いて、第２のＷＦＤ接続を介して前記ワイヤレスクライアントコンピューティングデバイスに前記プレイリストと前記プレイリストの前記メディア項目とのうちの少なくとも１つに関係するＷＦＤデータを送信することと、
前記第１のワイヤレスコンピューティングデバイスを用いて、前記第２のＷＦＤ接続を介して前記ワイヤレスクライアントコンピューティングデバイスからユーザ入力バックチャネル（ＵＩＢＣ）入力コマンドを受信することと
をさらに備え、
望ましくは、前記第１のワイヤレスコンピューティングデバイスを用いて、前記ワイヤレスクライアントコンピューティングデバイスから前記ＵＩＢＣ入力コマンドを受信したことに応答して前記第２のＷＦＤ接続を終了すること
をさらに備える、請求項１に記載の方法。
【請求項１３】
前記第１のワイヤレスコンピューティングデバイスが前記プレイリストの前記メディア項目を前記ワイヤレスクライアントコンピューティングデバイスと共有することを可能にする前記メディア共有アプリケーションを実行することが、
前記第１のワイヤレスコンピューティングデバイスを用いて、前記ワイヤレスクライアントコンピューティングデバイスに前記プレイリストを送信すること
をさらに備える、
および／または、
前記第２のワイヤレスコンピューティングデバイスと前記ワイヤレスクライアントコンピューティングデバイスが同じデバイスである、請求項１に記載の方法。
【請求項１４】
第１のワイヤレスコンピューティングデバイスであって、
第２のワイヤレスコンピューティングデバイスとのＷＩ−ＦＩディスプレイ（ＷＦＤ）接続を開始するための手段と、
前記ＷＦＤ接続を介して前記第２のワイヤレスコンピューティングデバイスにデータを送信するための手段と、
前記第１のワイヤレスコンピューティングデバイスがプレイリストのメディア項目をワイヤレスクライアントコンピューティングデバイスと共有することを可能にするメディア共有アプリケーションを実行するための手段と、
前記ワイヤレスクライアントコンピューティングデバイスに前記プレイリストの前記メディア項目を記述する情報を送信するための手段であって、前記メディア項目を記述する前記情報を送信するための前記手段が、前記ワイヤレスクライアントコンピューティングデバイスに、前記ワイヤレスクライアントコンピューティングデバイスが前記メディア項目を出力することが可能であるかどうかを判断することを行わせる、送信するための手段と、
前記ワイヤレスクライアントコンピューティングデバイスに前記メディア項目を送信するための手段と
を備える第１のワイヤレスコンピューティングデバイス。
【請求項１５】
実行されたとき、１つまたは複数のプロセッサに、
請求項１乃至１３のうちの一項に従って方法を実行させる、命令を記憶したコンピュータ可読記憶媒体。
【手続補正２】
【補正対象書類名】明細書
【補正対象項目名】０１４８
【補正方法】変更
【補正の内容】
【０１４８】
様々な例について説明した。これらおよび他の例は以下の特許請求の範囲内に入る。
以下に、本願出願の当初の特許請求の範囲に記載された発明を付記する。
［Ｃ１］  第２のワイヤレスコンピューティングデバイスに第１のワイヤレスコンピューティングデバイスのコンテンツを送信する方法であって、前記方法は、
前記第１のワイヤレスコンピューティングデバイスを用いて、前記第２のワイヤレスコンピューティングデバイスとのＷＩ−ＦＩディスプレイ（ＷＦＤ）接続を開始することと、
前記第１のワイヤレスコンピューティングデバイスを用いて、前記第１のワイヤレスコンピューティングデバイスから前記ＷＦＤ接続を介して前記第２のワイヤレスコンピューティングデバイスにデータを送信することと、
前記第１のワイヤレスコンピューティングデバイスを用いて、前記第１のワイヤレスコンピューティングデバイスがプレイリストのメディア項目をワイヤレスクライアントコンピューティングデバイスと共有することを可能にするメディア共有アプリケーションを実行することと、
前記第１のワイヤレスコンピューティングデバイスを用いて、前記ワイヤレスクライアントコンピューティングデバイスに前記プレイリストの前記メディア項目を記述する情報を送信することであって、前記メディア項目を記述する前記情報を送信することが、前記ワイヤレスクライアントコンピューティングデバイスに、前記ワイヤレスクライアントコンピューティングデバイスが前記メディア項目を出力することが可能であるかどうかを判断することを行わせる、送信することと、
前記第１のワイヤレスコンピューティングデバイスを用いて、前記ワイヤレスクライアントコンピューティングデバイスに前記メディア項目を送信することとを備える、方法。
［Ｃ２］  前記第１のワイヤレスコンピューティングデバイスから前記第２のワイヤレスコンピューティングデバイスに前記データを送信することが、前記第２のワイヤレスコンピューティングデバイスに、前記第１のワイヤレスコンピューティングデバイスのディスプレイ出力デバイスをミラーリングすることを行わせる、Ｃ１に記載の方法。
［Ｃ３］  前記メディア項目のフォーマットを記述する前記情報が、拡張可能マークアップ言語（ＸＭＬ）、２進数、ハイパーテキストマークアップ言語（ＨＴＭＬ）、およびカンマ区切り値（ＣＳＶ）のうちの少なくとも１つを備える、Ｃ１に記載の方法。
［Ｃ４］  前記ワイヤレスクライアントコンピューティングデバイスからメディア再生コマンドを受信することをさらに備える、Ｃ１に記載の方法。
［Ｃ５］  前記メディア再生コマンドがリアルタイムストリーミングプロトコル（ＲＴＳＰ）指示を備える、Ｃ４に記載の方法。
［Ｃ６］  前記メディア項目を送信することが、前記ワイヤレスクライアントコンピューティングデバイスから前記メディア再生コマンドを受信したことに応答して行われる、Ｃ４に記載の方法。
［Ｃ７］  前記第１のワイヤレスコンピューティングデバイスを用いて、前記第２のワイヤレスコンピューティングデバイスからユーザ入力を受信することをさらに備える、Ｃ１に記載の方法。
［Ｃ８］  前記ＷＦＤ接続を介した前記データ送信と、前記メディア共有アプリケーションの前記実行が同時に行われる、Ｃ１に記載の方法。
［Ｃ９］  前記メディア項目を記述する前記情報が、前記メディア項目のビットレート、レベル、解像度、ファイルタイプ、およびファイル名のうちの少なくとも１つを含む、Ｃ１に記載の方法。
［Ｃ１０］  前記第１のワイヤレスコンピューティングデバイスを用いて、前記ワイヤレスクライアントコンピューティングデバイスから認証情報を受信することと、
前記第１のワイヤレスコンピューティングデバイスを用いて、前記認証情報に基づいて前記ワイヤレスクライアントデバイスを認証することと、
前記第１のワイヤレスコンピューティングデバイスを用いて、前記ワイヤレスクライアントデバイスを認証したことに応答して前記ワイヤレスクライアントデバイスに前記プレイリストへのアクセスを許可することとをさらに備える、Ｃ１に記載の方法。
［Ｃ１１］  前記メディア項目を送信することが、リアルタイムトランスポートプロトコル（ＲＴＰ）を使用して前記メディア項目をストリーミングすることを備える、Ｃ１に記載の方法。
［Ｃ１２］  前記ＷＦＤ接続が第１のＷＦＤ接続を備え、前記方法が、
前記第１のワイヤレスコンピューティングデバイスを用いて、第２のＷＦＤ接続を介して前記ワイヤレスクライアントコンピューティングデバイスに前記プレイリストと前記プレイリストの前記メディア項目とのうちの少なくとも１つに関係するＷＦＤデータを送信することと、
前記第１のワイヤレスコンピューティングデバイスを用いて、前記第２のＷＦＤ接続を介して前記ワイヤレスクライアントコンピューティングデバイスからユーザ入力バックチャネル（ＵＩＢＣ）入力コマンドを受信することとをさらに備える、Ｃ１に記載の方法。
［Ｃ１３］  前記第１のワイヤレスコンピューティングデバイスを用いて、前記ワイヤレスクライアントコンピューティングデバイスから前記ＵＩＢＣ入力コマンドを受信したことに応答して前記第２のＷＦＤ接続を終了することをさらに備える、Ｃ１２に記載の方法。
［Ｃ１４］  前記第１のワイヤレスコンピューティングデバイスが前記プレイリストの前記メディア項目を前記ワイヤレスクライアントコンピューティングデバイスと共有することを可能にする前記メディア共有アプリケーションを実行することが、
前記第１のワイヤレスコンピューティングデバイスを用いて、前記ワイヤレスクライアントコンピューティングデバイスに前記プレイリストを送信することをさらに備える、Ｃ１に記載の方法。
［Ｃ１５］  前記第２のワイヤレスコンピューティングデバイスと前記ワイヤレスクライアントコンピューティングデバイスが同じデバイスである、Ｃ１に記載の方法。
［Ｃ１６］  第１のワイヤレスコンピューティングデバイスであって、
第２のワイヤレスコンピューティングデバイスとのＷＩ−ＦＩディスプレイ（ＷＦＤ）接続を開始することと、
前記第１のワイヤレスコンピューティングデバイスから前記ＷＦＤ接続を介して前記第２のワイヤレスコンピューティングデバイスにデータを送信することとを行うように構成されたＷＩ−ＦＩディスプレイ（ＷＦＤ）モジュールと、
前記第１のワイヤレスコンピューティングデバイスがプレイリストのメディア項目をワイヤレスクライアントコンピューティングデバイスと共有することを可能にするメディア共有アプリケーションを実行することと、
前記ワイヤレスクライアントコンピューティングデバイスに前記プレイリストの前記メディア項目を記述する情報を送信することであって、前記メディア項目を記述する前記情報の前記送信が、前記ワイヤレスクライアントコンピューティングデバイスに、前記ワイヤレスクライアントコンピューティングデバイスが前記メディア項目を出力することが可能であるかどうかを判断することを行わせる、送信することと、
前記ワイヤレスクライアントコンピューティングデバイスに前記メディア項目を送信することとを行うように構成されたメディア共有モジュールと
を備える第１のワイヤレスコンピューティングデバイス。
［Ｃ１７］  前記第１のワイヤレスコンピューティングデバイスから前記第２のワイヤレスコンピューティングデバイスへの前記データの前記送信が、前記第２のワイヤレスコンピューティングデバイスに、前記第１のワイヤレスコンピューティングデバイスのディスプレイ出力デバイスをミラーリングすることを行わせる、Ｃ１６に記載の第１のワイヤレスコンピューティングデバイス。
［Ｃ１８］  前記メディア項目のフォーマットを記述する前記情報が、拡張可能マークアップ言語（ＸＭＬ）、２進数、ハイパーテキストマークアップ言語（ＨＴＭＬ）、およびカンマ区切り値（ＣＳＶ）のうちの少なくとも１つを備える、Ｃ１６に記載の第１のワイヤレスコンピューティングデバイス。
［Ｃ１９］  前記メディア共有モジュールが、前記ワイヤレスクライアントコンピューティングデバイスからメディア再生コマンドを受信するようにさらに構成された、Ｃ１６に記載の第１のワイヤレスコンピューティングデバイス。
［Ｃ２０］  前記メディア再生コマンドがリアルタイムストリーミングプロトコル（ＲＴＳＰ）指示を備える、Ｃ１９に記載の第１のワイヤレスコンピューティングデバイス。
［Ｃ２１］  前記メディア共有モジュールが、前記ワイヤレスクライアントコンピューティングデバイスから前記メディア再生コマンドを受信したことに応答して前記メディア項目を送信するように構成された、Ｃ１９に記載の第１のワイヤレスコンピューティングデバイス。
［Ｃ２２］  前記ＷＦＤモジュールが、前記第２のワイヤレスコンピューティングデバイスからユーザ入力を受信するようにさらに構成された、Ｃ１６に記載の第１のワイヤレスコンピューティングデバイス。
［Ｃ２３］  前記ＷＦＤ接続を介して送信される前記データと、前記メディア共有アプリケーションの前記実行が同時に行われる、Ｃ１６に記載の第１のワイヤレスコンピューティングデバイス。
［Ｃ２４］  前記メディア項目の前記フォーマットを記述する前記情報が、前記メディア項目のビットレート、レベル、解像度、ファイルタイプ、およびファイル名のうちの少なくとも１つを含む、Ｃ１６に記載の第１のワイヤレスコンピューティングデバイス。
［Ｃ２５］  前記メディア共有モジュールが、
前記ワイヤレスクライアントコンピューティングデバイスから認証情報を受信することと、
前記認証情報に基づいて前記ワイヤレスクライアントコンピューティングデバイスを認証することと、
前記ワイヤレスクライアントコンピューティングデバイスの前記認証に応答して前記ワイヤレスクライアントコンピューティングデバイスに前記プレイリストへのアクセスを許可することとを行うようにさらに構成された、Ｃ１６に記載の第１のワイヤレスコンピューティングデバイス。
［Ｃ２６］  前記メディア項目を送信するために、前記ＷＦＤモジュールが、リアルタイムトランスポートプロトコル（ＲＴＰ）を使用して前記メディア項目をストリーミングするように構成された、Ｃ１６に記載の第１のワイヤレスコンピューティングデバイス。
［Ｃ２７］  前記ＷＦＤ接続が第１のＷＦＤ接続を備え、前記ＷＦＤモジュールが、
第２のＷＦＤ接続を介して前記ワイヤレスクライアントコンピューティングデバイスに前記プレイリストと前記プレイリストの前記メディア項目とのうちの少なくとも１つに関係するＷＦＤデータを送信することと、
前記第２のＷＦＤ接続を介して前記ワイヤレスクライアントコンピューティングデバイスからユーザ入力バックチャネル（ＵＩＢＣ）入力コマンドを受信することとを行うようにさらに構成された、Ｃ１６に記載の第１のワイヤレスコンピューティングデバイス。
［Ｃ２８］  前記ＷＦＤモジュールが、
前記ワイヤレスクライアントコンピューティングデバイスから前記ＵＩＢＣ入力コマンドを受信したことに応答して前記第２のＷＦＤ接続を終了するようにさらに構成された、Ｃ２７に記載の第１のワイヤレスコンピューティングデバイス。
［Ｃ２９］  前記第１のワイヤレスコンピューティングデバイスが前記プレイリストの前記メディア項目を前記ワイヤレスクライアントコンピューティングデバイスと共有することを可能にする前記メディア共有アプリケーションを実行するために、前記メディア共有モジュールが、
前記ワイヤレスクライアントコンピューティングデバイスに前記プレイリストを送信するようにさらに構成された、Ｃ１６に記載の第１のワイヤレスコンピューティングデバイス。
［Ｃ３０］  前記第２のワイヤレスコンピューティングデバイスと前記ワイヤレスクライアントコンピューティングデバイスが同じデバイスである、Ｃ１６に記載の第１のワイヤレスコンピューティングデバイス。
［Ｃ３１］  第１のワイヤレスコンピューティングデバイスであって、
第２のワイヤレスコンピューティングデバイスとのＷＩ−ＦＩディスプレイ（ＷＦＤ）接続を開始するための手段と、
前記ＷＦＤ接続を介して前記第２のワイヤレスコンピューティングデバイスにデータを送信するための手段と、
前記第１のワイヤレスコンピューティングデバイスがプレイリストのメディア項目をワイヤレスクライアントコンピューティングデバイスと共有することを可能にするメディア共有アプリケーションを実行するための手段と、
前記ワイヤレスクライアントコンピューティングデバイスに前記プレイリストの前記メディア項目を記述する情報を送信するための手段であって、前記メディア項目を記述する前記情報を送信するための前記手段が、前記ワイヤレスクライアントコンピューティングデバイスに、前記ワイヤレスクライアントコンピューティングデバイスが前記メディア項目を出力することが可能であるかどうかを判断することを行わせる、送信するための手段と、
前記ワイヤレスクライアントコンピューティングデバイスに前記メディア項目を送信するための手段とを備える第１のワイヤレスコンピューティングデバイス。
［Ｃ３２］  実行されたとき、１つまたは複数のプロセッサに、
第２のワイヤレスコンピューティングデバイスとのＷＩ−ＦＩディスプレイ（ＷＦＤ）接続を開始することと、
前記第１のワイヤレスコンピューティングデバイスから前記ＷＦＤ接続を介して前記第２のワイヤレスコンピューティングデバイスにデータを送信することと、
前記第１のワイヤレスコンピューティングデバイスがプレイリストのメディア項目をワイヤレスクライアントコンピューティングデバイスと共有することを可能にするメディア共有アプリケーションを実行することと、
前記ワイヤレスクライアントコンピューティングデバイスに前記プレイリストの前記メディア項目のフォーマットを記述する情報を送信することであって、前記メディア項目を記述する前記情報の前記送信が、前記ワイヤレスクライアントコンピューティングデバイスに、前記ワイヤレスクライアントコンピューティングデバイスが前記メディア項目を出力することが可能であるかどうかを判断することを行わせる、送信することと、
前記ワイヤレスクライアントコンピューティングデバイスに前記メディア項目を送信することとを行わせる、命令を記憶したコンピュータ可読記憶媒体。